(57)【要約】【課題】ピックアップの傾き調整機構の構成部品点数を減らし、構成を簡素化する。【解決手段】ガイド軸４の両端部を昇降可能に支持する支持部材５は、金属製のシャーシ１を折曲して構成され、ガイド軸４の昇降を案内する縦孔５３が形成された振止め片５０と、ガイド軸４の先端に対向してガイド軸４の長手方向に沿う動きを規制する抜止め片５２を一体に具えている。また、振止め片５０の一側部には、縦孔５３に繋がって縦孔５３へのガイド軸４の挿入を案内する切欠き５４が開設され、シャーシ１上には、ガイド軸４を振止め片５０上にて切欠き５４が開設された側部とは反対側の側部に圧接する引張りバネ４０が設けられている。【選択図】    図２
2004355710.tif 000002
【特許請求の範囲】
【請求項１】
シャーシ（１）上にディスク（７）を回転させるターンテーブル（３）と、該ターンテーブル（３）に接近離間可能に移動自在に設けられディスク（７）の信号面にレーザー光を発射するピックアップ（２）と、ピックアップ（２）の移動を案内するガイド軸（４）と、ガイド軸（４）の両端部を昇降可能に支持する支持部材（５）（５ａ）と、該ピックアップ（２）及びガイド軸（４）をディスク（７）の信号面に対して傾ける調整機構を具えたディスク記録又は再生装置に於いて、
支持部材（５）（５ａ）は、金属製のシャーシ（１）を折曲して構成され、ガイド軸（４）の昇降を案内する縦孔（５３）が形成された振止め片（５０）と、ガイド軸（４）の先端に対向してガイド軸（４）の長手方向に沿う動きを規制する抜止め片（５２）を一体に具えていることを特徴とするディスク記録又は再生装置。
【請求項２】
シャーシ（１）上にディスク（７）を回転させるターンテーブル（３）と、該ターンテーブル（３）に接近離間可能に移動自在に設けられディスク（７）の信号面にレーザー光を発射するピックアップ（２）と、ピックアップ（２）の移動を案内するガイド軸（４）と、ガイド軸（４）の両端部を昇降可能に支持する支持部材（５）（５ａ）と、該ピックアップ（２）及びガイド軸（４）をディスク（７）の信号面に対して傾ける調整機構を具えたディスク記録又は再生装置に於いて、
支持部材（５）（５ａ）は、金属製のシャーシ（１）を折曲して構成され、ガイド軸（４）の昇降を案内する縦孔（５３）が形成された振止め片（５０）を具え、
振止め片（５０）の一側部には、縦孔（５３）に繋がって縦孔（５３）へのガイド軸（４）の挿入を案内する切欠き（５４）が開設され、シャーシ（１）上には、ガイド軸（４）を振止め片（５０）上にて切欠き（５４）が開設された側部とは反対側の側部に圧接するバネ手段が設けられたことを特徴とするディスク記録又は再生装置。
【請求項３】
シャーシ（１）にはピックアップ（２）が嵌まる大開口（１１）が開設され、支持部材（５）となるべき突片（８）は大開口（１１）内に形成される請求項１又は２に記載のディスク記録又は再生装置。
【発明の詳細な説明】
【０００１】
【発明の属する技術分野】
本発明は、ディスクの信号面に対してピックアップを傾ける傾き調整機構を具えたディスク記録又は再生装置に関する。
【０００２】
【従来の技術】
図７は、一般的なディスク記録又は再生装置の斜視図である。周知の如く、シャーシ（１）上には、ディスク（７）を回転させるターンテーブル（３）、該ターンテーブル（３）に接近離間可能に設けられたピックアップ（２）が設けられている。ピックアップ（２）は、シャーシ（１）上のピックアップ駆動モータ（Ｍ）からギア列（１０）を介して動力供給され、ガイド軸（４）に沿って移動する。ディスク（７）の信号面にピックアップ（２）からレーザー光を当てて、反射された信号を再びピックアップ（２）で読みとって信号を再生する。
図８は、ディスク（７）の裏面図である。ディスク（７）の信号面には、円周方向に沿って複数のピット（７３）（７３）が凹設され、該ピット（７３）にレーザー光を当てたときと、ピット（７３）以外の箇所にレーザー光を当てたときとでは反射光の強さが異なる。これにより、０と１からなるデジタル信号を再生する。
【０００３】
ディスク（７）は記録媒体として広く用いられているが、近年信号が高密度記録されたディスク、具体的にはＤＶＤがある。該ディスクでは信号は高密度記録されているから、ディスク半径方向のピット（７３）（７３）の間隔Ｈが狭い。この為、信号を正しく再生するには、レーザー光のビーム径を小さくする必要がある。このビーム径はレーザー光の波長に比例し、ピックアップ（２）内の対物レンズの開口数ＮＡに反比例する関係にある。従って、かかるディスクでは開口数ＮＡをレーザー光の波長の長いＣＤ（ｃｏｍｐａｃｔ  ｄｉｓｃ）と比べ大きく設定している。具体的には、開口数ＮＡはＣＤの０．４５より大きい０．６程度である。この様に、開口数ＮＡを大きく設定すると、ディスク（７）の信号面に対してレーザー光の光軸が僅かに傾いた場合、小径のビーム径では誤った位置のピット（７３）を照射し、信号を正しく再生できない虞れがある。そこで、シャーシ（１）上にピックアップ（２）を嵌めたガイド軸（４）の傾きを調整する機構を設け、装置を製造する工程に於いて、ピックアップ（２）の傾きを図７のＤ方向（シャーシ（１）に直交し、ガイド軸（４）を含む面内）に微調整し、高密度記録されたディスクをスムーズに再生することが提案されている。
【０００４】
図９は、図７の傾き調整機構をＢ方向から見た側面断面図である（例えば、特許文献１参照）。ガイド軸（４）の両端部は、シャーシ（１）上にネジ（５５）止めされた支持部材（５）（５ａ）に昇降可能に嵌まり、ガイド軸（４）は支持部材（５）（５ａ）内に設けられた押しバネ（５６）により下向きに付勢される。一方の支持部材（５）内にてシャーシ（１）の下側からは、調整ビス（６）が螺合し、該調整ビス（６）の先端がガイド軸（４）に接する。調整ビス（６）を回動させると、調整ビス（６）に接したガイド軸（４）の一端部が昇降し、ガイド軸（４）はピックアップ（２）の移動方向を含みシャーシ（１）に略直交した面内にて傾く（図７のＤ方向）。ガイド軸（４）の両端部は、支持部材（５）の縦孔（５３）に嵌まってシャーシ（１）に水平な面内での振れが規制されている。支持部材（５）はまた側壁（５７）により、図９のＣ方向、即ちガイド軸（４）の他端部が他方の支持部材（５ａ）から抜ける方向への移動が規制される。これにより、シャーシ（１）に衝撃が加わっても、ガイド軸（４）の他端部が他方の支持部材（５ａ）から抜けない。
【０００５】
図１０は別の従来の傾き調整機構の平面図、図１１は、図１０の側面図である。これは、ガイド軸（４）を引張りバネ（４０）にて下向きに付勢し、支持部材（５）に螺合したネジ（５５）の頭部にてガイド軸（４）が上方に抜けることを防止している。
支持部材（５）はまた側壁（５７）により、ガイド軸（４）が図１１のＣ方向へ移動することを規制している。
【０００６】
【特許文献１】
特開２００１−５２３４５号公報（図３）
【０００７】
【発明が解決しようとする課題】
出願人は、図９及び図１０に示す構成から、更に構成部品点数を減らすとともに、構成を簡素化することを着想した。
本発明の目的は、ピックアップの傾き調整機構の構成部品点数を減らし、構成を簡素化することにある。
【０００８】
【課題を解決する為の手段】
ガイド軸（４）の両端部を昇降可能に支持する支持部材（５）は、金属製のシャーシ（１）を折曲して構成され、ガイド軸（４）の昇降を案内する縦孔（５３）が形成された振止め片（５０）と、ガイド軸（４）の先端に対向してガイド軸（４）の長手方向に沿う動きを規制する抜止め片（５２）を一体に具えている。
また、振止め片（５０）の一側部には、縦孔（５３）に繋がって縦孔（５３）へのガイド軸（４）の挿入を案内する切欠き（５４）が開設され、シャーシ（１）上には、ガイド軸（４）を振止め片（５０）上にて切欠き（５４）が開設された側部とは反対側の側部に圧接するバネ手段が設けられている。
【０００９】
【作用及び効果】
１．ガイド軸（４）の昇降を案内する部材である振止め片（５０）と、ガイド軸（４）の他端部が支持部材（５）から抜ける方向への移動を規制する抜止め片（５２）は、シャーシ（１）を折曲して一体に設けられる。これにより、従来に比してピックアップの傾きを調整する機構の構成部品点数は減り、該傾き調整機構の構成が簡素化される。
２．ガイド軸（４）は切欠き（５４）を通って、縦孔（５３）に嵌まるから、ガイド軸（４）をシャーシ（１）の上から装着でき、装着作業性がよい。。
ガイド軸（４）はバネ手段により、振止め片（５０）上にて切欠き（５４）が開設された側部とは反対側の側部に圧接される。これにより、ガイド軸（４）が切欠き（５４）から外れることは防止される。
【００１０】
【発明の実施の形態】
以下、本発明の一例を図を用いて詳述する。
図１は、本例に係わるディスク記録又は再生装置の平面図であり、図２は、図１をＡ方向から見た図、図３は、図１をＢ方向から見た図である。従来と同様に、シャーシ（１）上には、ディスク（７）を回転させるターンテーブル（３）、該ターンテーブル（３）に接近離間可能に設けられたピックアップ（２）が設けられている。ピックアップ（２）は、シャーシ（１）上のピックアップ駆動モータ（Ｍ）からリードスクリュー（１２）を介して動力供給され、ガイド軸（４）に沿って移動する。シャーシ（１）上には、大開口（１１）が開設され、ガイド軸（４）は該大開口（１１）に跨って設けられる。該大開口（１１）内にピックアップ（２）が嵌まる。
【００１１】
シャーシ（１）は金属板から構成され、ガイド軸（４）の両端部はシャーシ（１）を折曲して形成された支持部材（５）（５ａ）に受けられる。支持部材（５）（５ａ）は、シャーシ（１）から立設した振止め片（５０）と、該振止め片（５０）の先端部からシャーシ（１）面に略平行に延びた繋ぎ片（５１）と、該繋ぎ片（５１）から下向きに延びてガイド軸（４）の先端に対向しガイド軸（４）の長手方向に沿う動きを規制する抜止め片（５２）を一体に具えている。仮に抜止め片（５２）が設けられていないと、シャーシ（１）に衝撃が加わった際に、ガイド軸（４）が図２のＣ方向に不用意に動き、ガイド軸（４）の他端部が他方の支持部材（５ａ）から外れる虞れがあるが、抜止め片（５２）を設けたことにより、この虞れが解消される。
振止め片（５０）には、ガイド軸（４）の昇降を案内する縦孔（５３）が形成され、この縦孔（５３）の幅はガイド軸（４）の直径に略等しく形成される。これにより、ガイド軸（４）のシャーシ（１）に平行な面内に於ける振れが規制される。
【００１２】
図３に示すように、支持部材（５）の振止め片（５０）は、一側部に切欠き（５４）を開設し、該切欠き（５４）は縦孔（５３）に繋がる。ガイド軸（４）は切欠き（５４）を通って、縦孔（５３）に嵌まるから、ガイド軸（４）をシャーシ（１）の上から装着でき、装着作業性がよい。
ガイド軸（４）は、シャーシ（１）面に対して斜めに掛けられた引張りバネ（４０）により、振止め片（５０）上にて切欠き（５４）が開設された側部とは反対側の側部に圧接される。これにより、ガイド軸（４）が切欠き（５４）から外れることを防止している。ガイド軸（４）は、引張りバネ（４０）により下向きにも付勢される。
支持部材（５）内にてシャーシ（１）の下側からは調整ビス（６）が螺合している。調整ビス（６）を回動させると、ガイド軸（４）の一端部が昇降し、ガイド軸（４）がシャーシ（１）に直交しガイド軸（４）を含む面内にて傾き調整される。ピックアップ（２）の傾き調整時には、基準信号が記録されたディスクを再生しながら、調整ビス（６）を回転させて、再生信号のエラーレート又はジッターが最良となる位置にて調整を止める。
【００１３】
支持部材（５）は、前記の如くシャーシ（１）を折曲して構成され、図４は、支持部材（５）を形成する前のシャーシ（１）の展開図である。シャーシ（１）を打ち抜いて、大開口（１１）を開設する際には、支持部材（５）となるべき突片（８）を残しておく。突片（８）を図４のＸ１線にて上向きに折曲し、振止め片（５０）を形成する。次に、突片（８）をＸ２線にて振止め片（５０）に直交するように折曲し、繋ぎ片（５１）を形成する。最後に、突片（８）をＸ３線にて下向きに折曲し、抜止め片（５２）を形成する。即ち、大開口（１１）を開設する際に、突片（８）を残しておけば、支持部材（５）をシャーシ（１）に一体に形成でき、シャーシ（１）を形成する金属板を有効に用いることができる。
【００１４】
上記例では、繋ぎ片（５１）はシャーシ（１）面に平行であるとしたが、図５及び図６に示すように、繋ぎ片（５１）をシャーシ（１）面に直交して形成してもよい。
ガイド軸（４）の支持部材（５）からの外れを防止する構成として、抜止め片（５２）を設けずに、単にガイド軸（４）を長くすることも考えられる。しかし、これではガイド軸（４）の真直度、即ち振れ精度が悪くなり、かかるガイド軸（４）を用いると、ピックアップ（２）を正確な方向に案内できない虞れがある。また、ガイド軸（４）が長いと、製造コストもかかる。従って、大開口（１１）の打ち抜き形成時に、突片（８）を残して抜止め片（５２）を設け、ガイド軸（４）の製造コストアップ等を防いでいる。
【００１５】
本例にあっては、ガイド軸（４）の昇降を案内する部材である振止め片（５０）と、ガイド軸（４）の他端部が支持部材（５）から抜ける方向への移動を規制する抜止め片（５２）は、シャーシ（１）を折曲して一体に設けられる。これにより、従来に比してピックアップの傾きを調整する機構の構成部品点数は減り、該傾き調整機構の構成が簡素化される。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の平面図である。
【図２】図１をＡ方向から見た図である。
【図３】図１をＢ方向から見た図である。
【図４】支持部材を形成する前のシャーシの展開図である。
【図５】別の実施例に於ける支持部材の平面図である。
【図６】図５の支持部材の側面図である。
【図７】一般的なディスク記録又は再生装置の斜視図である。
【図８】ディスクの裏面図である。
【図９】図７の傾き調整機構をＢ方向から見た側面断面図である。
【図１０】別の従来の傾き調整機構の平面図である。
【図１１】図１０の側面図である。
【符号の説明】
（１）    シャーシ
（２）    ピックアップ
（３）    ターンテーブル
（４）    ガイド軸
（５）    支持部材
（７）    ディスク
（８）    突片
（１１）    大開口
（５０）    振止め片
（５２）    抜止め片
（５３）    縦孔
【図１】
2004355710.tif 000003
【図２】
2004355710.tif 000004
【図３】
2004355710.tif 000005
【図４】
2004355710.tif 000006
【図５】
2004355710.tif 000007
【図６】
2004355710.tif 000008
【図７】
2004355710.tif 000009
【図８】
2004355710.tif 000010
【図９】
2004355710.tif 000011
【図１０】
2004355710.tif 000012
【図１１】
2004355710.tif 000013